(57)【要約】  【課題】  混合前の薬剤の排出を防止できるとともに、簡単な操作で薬剤を混合して使用可能な状態にすることができる医療用複室容器を提供する。  【解決手段】  本発明に係る医療用複室容器は、薬剤を収納可能な容器本体と５、この容器本体５から薬剤を排出する薬剤排出部７と、容器本体５を折り畳んだ状態に保持する保持部材とを備え、この保持部材は前記容器本体の折り目部分を挟持することで、容器本体５に折り目を境界とする複数の収納室を形成し、これら複数の収納室には薬剤が収納されており、容器本体を折り畳んだ状態から広げると、保持部材による前記折り目部分の挟持状態が解除されるように構成されている。【選択図】  図１
2005177077.tif 000002
【特許請求の範囲】
【請求項１】
薬剤を収納可能な容器本体と、
当該容器本体から薬剤を排出する薬剤排出部と、
前記容器本体を折り畳んだ状態に保持する保持部材とを備え、
前記保持部材は前記容器本体の折り目部分を挟持することで、前記容器本体に前記折り目を境界とする複数の収納室を形成し、
当該複数の収納室それぞれには薬剤が収納されており、
前記容器本体を折り畳んだ状態から広げると、前記保持部材による前記折り目部分の挟持状態が解除される医療用複室容器。
【請求項２】
前記保持部材は、前記折り目部分を挟持するとともに、弾性変形によって離間可能な一対の挟持片を備え、
前記容器本体を折り畳んだ状態から広げると、前記一対の挟持片の離間に伴って前記折り目部分が前記挟持片を摺動し、前記保持部材が前記容器本体から離脱する請求項１に記載の医療用複室容器。
【請求項３】
前記保持部材は、前記折り目部分を挟持する一対の挟持片と、当該一対の挟持片を連結する連結部とから構成され、
前記連結部は、前記容器本体を折り畳んだ状態から広げることにより破断する請求項１に記載の医療用複室容器。
【請求項４】
前記容器本体を折り畳んだ状態から広げて、前記保持部材による前記折り目部分の挟持状態が解除される際に要する力が、５〜１００Ｎである請求項１から３のいずれかに記載の医療用複室容器。
【請求項５】
内部に薬剤を収納可能となっており、薬剤の排出部が取り付けられた容器本体を準備する工程と、
当該容器本体を折り畳む工程と、
前記容器本体の折り畳み状態を保持し、前記容器本体の折り目部分を挟持する保持部材を取り付けることで、前記容器本体に前記折り目を境界とする複数の収納室を形成する工程と、
前記容器本体に形成された開口から前記各収納室に薬剤をそれぞれ注入した後、前記開口を封止する工程とを備え、
前記保持部材は、前記容器本体を折り畳んだ状態から広げるときに、前記折り目部分の挟持状態を解除するように構成されている、医療用複室容器の製造方法。
【発明の詳細な説明】
【技術分野】
【０００１】
本発明は、同時に配合すると経時変化を起こすような不安定な各種薬剤（液剤、粉末若しくは固形剤）を個別に収納する複数の収納室を備えた医療用複室容器に関する。
【背景技術】
【０００２】
静脈注射により患者に投与される薬剤の中には、予め配合すると望ましくない経時的変化を起こすような不安定な薬剤がある。例えばアミノ酸輸液とブドウ糖輸液とを配合して保存しておくと、いわゆるメイラード反応によって混合液が褐変する。また、脂肪乳剤と電解質溶液とを配合して保存しておくと、脂肪分が凝集を生じ、リン酸含有液とカルシウム含有液を配合しておくと、リン酸カルシウムの沈殿を生じ、望ましくない変化を起こす。
【０００３】
このような薬剤に対しては、次のような医療用複室容器が用いられることが多い。この医療用複室容器は、薬剤を収納する２つの収納室を備えたプラスチックフィルム製の容器本体と、この容器本体から薬剤を排出する排出部とを備えている。２つの収納室は、容器本体の内壁面同士を熱融着した仕切り用封止部によって仕切られている。使用に際しては、いずれかの収納室の中央付近を押圧し、収納室内の圧力を高めて仕切り用封止部を開封する。これによって両収納室が連通し、２つの薬剤が混合される。その後、排出部を開封し、混合後の薬剤を患者に投与する。
【０００４】
ところで、上記のような複室容器では、仕切り用封止部の開封前に、排出部を開封すると、混合前の薬剤が排出されるという問題があった。これを解決するため、例えば特許文献１及び特許文献２では、排出部と、これと隣接する収納室との間に、排出規制用の封止部を設けた医療用容器が提案されている。このような排出規制用の封止部を設けると、仕切り用封止部の開封前に、排出部を開封しても、排出規制用封止部によって収納室から薬剤が排出されるのを防止することができる。
【特許文献１】特開平９−３２７４９８号公報
【特許文献２】特開２００１−１８７１１１号公報
【発明の開示】
【発明が解決しようとする課題】
【０００５】
ところが、上記各特許文献に記載の複室容器では、封止部が２つ設けられているため、使用時には、２つの封止部を別個に開封する必要があり、作業が煩雑になるという問題があった。これに対して、特許文献１に記載の容器では、排出規制用封止部の開封強度と仕切り用封止部の開封強度とを同等にし、これら封止部に挟まれた収納室を押圧することで、両封止部を同時に開封することが記載されている。しかしながら、両封止部を同時に開封するには、これら封止部に均一に圧力が作用するように収納室を押圧する必要があるが、このように押圧することは、現実には非常に困難であり、結局は各封止部を個別に開封する必要があった。
【０００６】
本発明は、上記問題を解決するためになされたものであり、混合前の薬剤の排出を防止できるとともに、簡単な操作で薬剤を混合して使用可能な状態にすることができる医療用複室容器を提供することを目的とする。
【課題を解決するための手段】
【０００７】
本発明は、上記問題を解決するためになされたものであり、薬剤を収納可能な容器本体と、当該容器本体から薬剤を排出する薬剤排出部と、前記容器本体を折り畳んだ状態に保持する保持部材とを備え、前記保持部材は前記容器本体の折り目部分を挟持することで、前記容器本体に前記折り目部分を境界とする複数の収納室を形成し、当該複数の収納室には薬剤が収納されており、前記容器本体を折り畳んだ状態から広げると、前記保持部材による前記折り目部分の挟持状態が解除されるように構成されている。
【０００８】
この構成によれば、使用前に容器本体が折り畳み状態に保持されているため、使用者がこの状態で薬剤排出部から薬剤を取り出そうとすることはない。したがって、混合前の薬剤が排出されるのを防止することができる。そして、一旦容器本体が折り畳み状態から開かれると、保持部材による折り目部分の挟持状態が解除されるため、折り目部分を境界として仕切られている収納室を連通させることができ、これによって、各収納室に収納された薬剤を混合することができる。したがって、従来例のように混合前の薬剤の排出を防止する排出規制用封止部を設ける必要がなく、一度の簡単な動作で薬剤を混合することができるため、薬剤投与に係る作業性を大きく向上することができる。
【０００９】
上記保持部材は、種々の構成をとることができるが、例えば、保持部材が折り目部分を挟持するとともに、弾性変形によって離間可能な一対の挟持片を備え、容器本体を折り畳んだ状態から広げると、一対の挟持片の離間に伴って折り目部分が挟持片を摺動し、保持部材が容器本体から離脱するように構成することができる。或いは、折り目部分を挟持する一対の挟持片と、当該一対の挟持片を連結する連結部とで構成し、連結部を、容器本体を折り畳んだ状態から広げることによって破断するように構成することができる。いずれの構成によっても、容器本体を折り畳み状態から広げることで、挟持状態が解除できるため、一度の操作で薬剤の混合を行うことができ、作業性を向上することができる。
【００１０】
なお、容器本体を折り畳んだ状態から広げて、保持部材による折り目部分の挟持状態が解除される際に要する力は、５〜１００Ｎであることが好ましく、この範囲であれば、使用前の輸送中等に保持部材が容器本体から外れるのを防止することができる一方、保持部材による挟持が強すぎて容器本体を広げることができないということを防止できる。
【００１１】
上記複室容器は例えば次の方法で製造することができる。すなわち、本発明に係る医療用複室容器の製造方法は、内部に薬剤を収納可能となっており、薬剤の排出部が取り付けられた容器本体を準備する工程と、当該容器本体を折り畳む工程と、前記容器本体の折り畳み状態を保持し、前記容器本体の折り目部分を挟持する保持部材を取り付けることで、前記容器本体に前記折り目部分を境界とする複数の収納室を形成する工程と、前記容器本体に形成された開口から前記各収納室に薬剤をそれぞれ注入した後、前記開口を封止する工程とを備え、前記保持部材は、前記容器本体を折り畳んだ状態から広げるときに、前記折り目の挟持状態を解除するように構成されている。
【発明の効果】
【００１２】
本発明によれば、混合前の薬剤の排出を防止できるとともに、簡単な操作で薬剤を混合して使用可能な状態にすることができる。
【発明を実施するための最良の形態】
【００１３】
以下、本発明に係る医療用複室容器の一実施形態について図面を参照しつつ説明する。図１は、本実施形態に係る医療用複室容器の斜視図である。
【００１４】
図１に示すように、この医療用複室容器は、薬剤を収納する容器本体１を２つ折りにしたものであり、容器本体１の折り目には、折り畳み状態を保持する保持部材３が取り付けられている。容器本体１は矩形状の２枚のフィルムの周縁部１１を熱融着して扁平の袋状に形成したものであり、その一端部に容器本体１内の薬剤を排出する薬剤排出部５が取り付けられている。この薬剤排出部５は、内部にゴム栓（図示省略）を有しており、このゴム栓に後述する刺栓針を刺入することで、薬剤が排出される。
【００１５】
保持部材３は、容器本体１の折り目部分を挟持する一対の挟持片３１と、これら挟持片３１を連結する連結部３２とからなる弾性材料で構成されており、これらは折り目の全長に亘って延びている。より詳細には、挟持片３１は折り目を挟む両側縁をそれぞれ押圧しており、これによって容器本体１には折り目を境界として仕切られる２つの収納室１２，１３が形成されている。このような保持部材３は、後述するように少なくとも挟持片３１が離間する弾性変形可能な材料で形成されていればよく、例えば金属や硬質プラスチックなどから選択することができる。
【００１６】
上記のように形成された各収納室１２，１３には、予め混合或いは溶解しておくとメイラード反応等の経時変化を起こすため隔離する必要がある各種薬剤ａ，ｂがそれぞれ封入されている。例えば一方の収納室にアミノ酸を含有する溶液、他方の収納室にブドウ糖を含有する溶液を収納することができる。また、必要に応じていずれか一方の収納室に電解質等を封入することもできる。さらに、液剤だけでなく、いずれか一方の収納室に固形または粉末薬剤を収納することもできる。
【００１７】
なお、容器本体１を構成するフィルムの材質としては、ポリエチレン、ポリプロピレン、ポリスチレン等の熱可塑性樹脂等、種々の樹脂材料を採用することができる。但し、容器本体５周縁部の内壁面同士を融着することから、容器本体５のフィルムは互いに相溶性が乏しく融点の異なる樹脂を混合した混合樹脂で形成することが好ましい。このようにすると、融着強度の制御が容易になるという利点がある。そのような樹脂の組み合わせとしては、例えばスチレン系樹脂、メタクリル酸エステル系樹脂、環状オレフィン樹脂、ポリ４−メチルペンテン、ポリエステル、ポリアミド、又はポリプロピレンから選ばれる樹脂と、ポリエチレンとの混合樹脂を例示することができる。そのうち、ポリエチレンとポリプロピレンとの混合樹脂、及びポリエチレンと環状オレフィン樹脂との混合樹脂は、医療用として安全性が確認されていること、及び製造上の取り扱いが確立されていることから特に好ましい。また、容器本体５を形成するフィルムは、上述した樹脂のみからなる単層のフィルムの他、多層構造のフィルムを使用することができる。この場合、容器本体５の最内層を構成する樹脂層が上記のような樹脂から形成されていればよい。
【００１８】
次に、上記のように構成された医療用複室容器の使用方法について説明する。複室容器内の薬剤を患者に投与するには、図２（ａ）に示すように、容器本体１において折り目を挟んで対向する一端部及び他端部を把持し、これらが離間するように引っ張る。つまり、折り畳まれた容器本体１を開くように引っ張る。これにより、折り目を挟持する両挟持片３１が弾性変形して離間する。この状態で容器本体１の両端部をさらに引っ張ると、離間した挟持片３１の間を折り目の両側縁が摺動し、ついには折り目が開きながら保持部材３から離脱する。こうして、両収納室１２，１３を仕切る保持部材３が離脱したことにより、図２（ｂ）に示すように、両収納室１２，１３が連通し薬剤が混合される。続いて、薬剤排出部５のゴム栓に導管（図示省略）が接続された刺栓針（図示省略）を刺入すると、混合された薬液が導管を介して患者に投与される。
【００１９】
以上のように、本実施形態の容器本体１は使用前は折り畳まれた状態に保持されており、この状態で使用されることはないから、使用者がこの状態で薬剤排出部５から薬剤を取り出そうとすることはない。したがって、混合前の薬剤が排出されるのを防止することができる。そして、一旦容器本体１が折り畳み状態から開かれると、保持部材３による折り目部分の挟持状態が解除されるため、折り目部分を境界として仕切られている収納室１２，１３が連通し、これによって、各収納室１２，１３に収納された薬剤が混合される。したがって、混合前の薬剤が排出されるのを確実に防止することができる。このように、本実施形態に係る複室容器では、従来例のように混合前の薬剤の排出を防止する排出規制用封止部を設ける必要がなく、折り畳み状態の容器本体１を開くという一度の動作で薬剤を混合することができるため、薬剤投与に係る作業性を大きく向上することができる。
【００２０】
なお、上記のように保持部材３を機能させるには、容器本体１を折り畳んだ状態から広げて、保持部材３による折り目部分の挟持状態が解除される際に要する力を５〜１００Ｎ程度にしてことが好ましい。この範囲であれば、使用前の輸送中等に保持部材３が容器本体１から外れるのを防止することができる一方、保持部材３による挟持が強すぎて容器本体１を広げることができないということを防止できる。
【００２１】
次に、上記のように構成された医療用複室容器の製造方法の一例を図３に示す。まず、２枚のフィルムの周縁を熱融着して矩形の容器本体１を準備する（図３（ａ））。この容器本体１は、一方の側縁の上部及び下部にそれぞれ開口１４，１５が形成されている。また、下方の周縁部には、容器本体１から薬剤を取り出すための薬剤排出部５が取り付けられており、上方の周縁部には、容器を吊り掛けるための吊り掛け孔９が形成されている。なお、薬剤排出部５は、例えば２枚のフィルムの間に挟み込んで熱融着することによって容器本体１に取り付けることができる。
【００２２】
次に、この容器本体１を上下方向の中間付近に折り目Ｌを形成して２つ折りにする。このとき、上記した開口１４，１５は折り目を挟んで配置されるようにする。続いて、容器本体１の折り目部分に上述した保持部材３を取り付けて折り目部分を押圧するように挟持する（図３（ｂ））。これにより、容器本体１には折り目を挟んで２つの収納室１２，１３が形成される。そして、上記開口１４，１５から各収納室１２，１３に薬剤ａ，ｂを注入した後（図３（ｃ））、各開口１４，１５を熱融着により封止する（図３（ｄ））。最後に、この容器を加熱滅菌すると、上述した図１に示す複室容器が完成する。
【００２３】
以上、本発明の一実施形態について説明したが、本発明はこれに限定されるものではなく、その趣旨を逸脱しない限りにおいて種々の変更が可能である。例えば、上記実施形態では、容器本体１の左右方向に延びる折り目を形成して２つ折りにしているが、容器本体１を２つ折りにすることができれば、折り目の延びる方向は特には限定されない。例えば、図４に示すように、容器本体１の長手方向、つまり上下方向に延びる折り目Ｌを形成して上記保持部材３を取り付けるようにすることもできる。
【００２４】
また、上記実施形態の２つの収納室を形成しているが、３つ以上形成することができる。この場合の一例を図５に示す。同図に示すように、容器本体１の上端中央から中心付近まで下方へと延びる仕切り部１６を予め形成しておく。この仕切り部１６は、例えば、容器本体１の対向するフィルム面を熱融着することで形成することができる。そして、仕切り部１６の下端部を通り左右方向に延びる折り目Ｌにより容器本体１を２つ折りにした後、折り目部分に保持部材３を取り付ける。これにより、折り目Ｌの上方には、仕切り部１６を挟んで２つの収納室１７，１８が形成され、折り目Ｌの下方の収納室１３と合わせて合計３つの収納室が形成される。したがって、折り畳み状態から容器本体１を広げると、これら３つの収納室１３，１７，１８が連通し、薬剤が混合される。この例では、３つの収納室が形成される場合について説明したが、各収納室が折り目と接するように形成されていれば、収納室の数は特には限定されない。
【００２５】
また、上記実施形態では、容器本体１を広げる力によって保持部材３を弾性変形させて両挟持片３１を離間し、保持部材３を容器本体１から離脱させているが、これ以外の構成であってもよい。例えば、図６に示すように、保持部材３の連結部３２に折り目方向に延びる薄肉部３２ａを形成しておき、容器本体１を広げて両挟持片３１が離間したときに、連結部３２が薄肉部３２ａに沿って破断するように構成することもできる。これにより、保持部材３が２つに分離して容器本体１から離脱し、収納室１２，１３が連通する。したがって、容器本体１を広げたときに、保持部材３が容器本体１から離脱するように構成されていれば、本発明の目的を達成することができる。
【００２６】
また、容器本体を次のように構成することもできる。すなわち、図７に示すように、容器本体１の中央に左右方向に延びる仕切り部１９を形成するとともに、その仕切り部１９の中央に流路１９ａを形成しておく。これにより、容器本体１には上下に配置された２つの収納室１２，１３が形成され、これらが流路１９ａによって連通することになる。なお、仕切り部１９は上述したように容器本体１のフィルムを熱融着することにより形成することができる。そして、仕切り部１９に沿って容器本体１を２つ折りにし、流路１９ａが形成されている部分に保持部材３を取り付ける。以上の構成によれば、流路１９ａを通過する折り目にのみ保持部材３が取り付けられていればよいため、保持部材３を小型化することができる。
【００２７】
また、上記説明では、容器本体１を２つ折りにしているが、折り目を３箇所以上形成し、各折り目に保持部材を取り付けるようにすることもできる。こうすることで、３種類以上の薬剤を収納することができる。
【図面の簡単な説明】
【００２８】
【図１】本発明に係る医療用複室容器の一実施形態を示す平面図である。
【図２】本発明に係る医療用複室容器の他の例を示す平面図である。
【図３】本発明に係る医療用複室容器の他の例を示す平面図である。
【図４】本発明に係る医療用複室容器の他の例を示す平面図である。
【図５】本発明に係る医療用複室容器の他の例を示す平面図である。
【図６】本発明に係る医療用複室容器の他の例を示す平面図である。
【図７】本発明に係る医療用複室容器の他の例を示す平面図である。
【符号の説明】
【００２９】
１  容器本体
１２，１３  収納室
３  保持部材
３１  挟持片
３２  連結部
５  薬剤排出部
【図１】
2005177077.tif 000003
【図２】
2005177077.tif 000004
【図３】
2005177077.tif 000005
【図４】
2005177077.tif 000006
【図５】
2005177077.tif 000007
【図６】
2005177077.tif 000008
【図７】
2005177077.tif 000009